(57)【要約】【課題】生産性の高い照明装置を提供する。【解決手段】照明装置１は、本体部３０に固定された複数の基板４０ａ，４０ｂと、基板４０ａ，４０ｂの第１の面４１ａ，４１ｂに設けられた複数の発光素子４２と、第１の面４１ａ，４１ｂに固定された薄板状の反射部２０と、を含む。反射部２０は、隣り合う基板４０ａ，４０ｂを電気的に接続する配線５０によって第１の面４１ａ，４１ｂに固定される。配線５０は、その両端部が第２の貫通孔２４ａ，２４ｂを貫通して第１の面４１ａ，４１ｂに接続され、該両端部の間の配線５０の少なくとも一部が反射部２０と接触して反射部２０と基板４０ａ，４０ｂとを固定する【選択図】図４
2014220144.tif 000002
【特許請求の範囲】
【請求項１】
本体部に固定された複数の基板と、
前記基板の第１の面に設けられた複数の発光素子と、
前記第１の面に固定された薄板状の反射部と、
を含み、
前記反射部は、隣り合う前記基板を電気的に接続する配線によって前記第１の面に固定される、照明装置。
【請求項２】
請求項１において、
複数の前記基板は、略環状に配置され、
前記反射部は、略環状に配置された複数の前記基板の全体を覆うように略環状に形成されると共に、前記発光素子に対応する位置に形成された複数の第１の貫通孔と、前記配線の両端部に対応する位置に形成された複数の第２の貫通孔と、を有し、
前記配線は、その両端部が第２の貫通孔を貫通して前記第１の面に接続され、該両端部の間の配線の少なくとも一部が前記反射部と接触して前記反射部と前記基板とを固定する、照明装置。
【請求項３】
請求項２において、
隣り合う１組の前記第２の貫通孔に対して、２本の前記配線が配置され、２本の前記配線が前記反射部を前記第１の面に固定する、照明装置。
【請求項４】
請求項２または請求項３において、
前記第２の貫通孔は、略環状に形成された前記反射部の内周端部と外周端部との中間に形成する、照明装置。
【請求項５】
請求項２乃至４のいずれか１項において、
前記反射部は、表面と裏面とを有し、
前記裏面は、前記基板の前記第１の面と対向し、
前記表面は、前記発光素子の出射光を反射する白色の反射面を有する、照明装置。
【請求項６】
請求項２乃至４のいずれか１項において、
前記反射部は、表面と裏面とを有し、
前記裏面は、前記基板の前記第１の面と対向し、
前記表面は、その全部又は一部が前記発光素子の出射光を反射する鏡面状の反射面を有する、照明装置。
【請求項７】
請求項６において、
前記表面は、前記反射部の外周端部側に環状に形成された第１の反射面と、前記反射部の内周端部側に環状に形成された第２の反射面と、該第１の反射面と該第２の反射面との間に環状に形成された第３の反射面と、を有し、
前記第１の反射面及び前記第２の反射面は、前記第３の反射面よりも高い反射率を有する、照明装置。
【発明の詳細な説明】
【技術分野】
【０００１】
本発明は、照明装置に関する。
【背景技術】
【０００２】
ＬＥＤ（Ｌｉｇｈｔ  Ｅｍｉｔｔｉｎｇ  Ｄｉｏｄｅ）素子やＥＬ（ｌｉｇｈｔ−ｅｍｉｔｔｉｎｇ）素子などの発光素子の高出力化、高効率化及び普及化に伴い、光源としてこれらの発光素子を用いた照明装置が開発されている。
【０００３】
このような照明装置の一例として、全体として略サークル状に繋ぎ合わされるように形成された複数の基板に発光素子を配置して構成された照明装置が知られている（例えば、特許文献１参照。）。
【０００４】
また、光源からの光の方向を変えるためのシート状の光学手段を備えた照明装置が提案されている（例えば、特許文献２及び特許文献３参照。）。特に、特許文献２で提案される照明装置においては、シート状の光学手段を基板に対して多数のネジにより係止することが提案されている。
【０００５】
しかしながら、上記のような発光素子を用いた照明装置にあっては、さまざまな形態で用いられており、大型化または複雑化するものもあるため、多数のネジによる係止作業は生産性に問題があった。
【先行技術文献】
【特許文献】
【０００６】
【特許文献１】特開２０１２−１５６５１２号公報
【特許文献２】特開２０１０−２８２７６２号公報
【特許文献３】特開２０１０−４０２６９号公報
【発明の概要】
【発明が解決しようとする課題】
【０００７】
本発明は、以上のような技術的課題に鑑みてなされたものである。本発明の照明装置によれば、生産性の高い照明装置を提供することができる。
【課題を解決するための手段】
【０００８】
［適用例１］
本適用例に係る照明装置は、
本体部に固定された複数の基板と、
前記基板の第１の面に設けられた複数の発光素子と、
前記第１の面に固定された薄板状の反射部と、
を含み、
前記反射部は、隣り合う前記基板を電気的に接続する配線によって前記第１の面に固定されることを特徴とする。
【０００９】
照明装置の基板の表面は、通常、黒色、黄色、緑色及び灰色であり、反射効率は比較的低いものであるが、本適用例によれば、反射板を基板の第１の面に固定することで発光素子の出射光を効率よく利用することができる。また、本適用例によれば、基板同士を接続する配線を利用することで、反射部を基板に固定するための作業工程を減らすことができる。したがって、照明装置の生産性を向上することができる。
【００１０】
［適用例２］
上述の照明装置において、
複数の前記基板は、略環状に配置され、
前記反射部は、略環状に配置された複数の前記基板の全体を覆うように略環状に形成されると共に、前記発光素子に対応する位置に形成された複数の第１の貫通孔と、前記配線の両端部に対応する位置に形成された複数の第２の貫通孔と、を有し、
前記配線は、その両端部が第２の貫通孔を貫通して前記第１の面に接続され、該両端部の間の配線の少なくとも一部が前記反射部と接触して前記反射部と前記基板とを固定することができる。
【００１１】
本適用例によれば、反射部が略環状の基板の全体を覆うことで発光素子の出射光を効率よく利用すると共に、第１の貫通孔によって反射部が発光素子の出射光を遮ることがない。また、本適用例によれば、配線の一部によって反射部と基板との固定を行うので、反射部の反射効率をほとんど損なうことがなく、高効率の照明装置を実現できる。
【００１２】
［適用例３］
上述の照明装置において、
隣り合う１組の前記第２の貫通孔に対して、２本の前記配線が配置され、２本の前記配線が前記反射部を前記第１の面に固定することができる。
【００１３】
本適用例によれば、２本の配線によって反射板が固定されるので、反射部を基板により確実に固定することができる。
【００１４】
［適用例４］
上述の照明装置において、
前記第２の貫通孔は、略環状に形成された前記反射部の内周端部と外周端部との中間に形成することができる。
【００１５】
本適用例によれば、環状の反射部をその中間位置で固定することができるので、反射部の基板に対する固定を安定化させることができる。
【００１６】
［適用例５］
上述の照明装置において、
前記反射部は、表面と裏面とを有し、
前記裏面は、前記基板の前記第１の面と対向し、
前記表面は、前記発光素子の出射光を反射する白色の反射面を有することができる。
【００１７】
本適用例によれば、発光素子の出射光を効率よく反射することができる。また、本適用例によれば、白色の反射面により、基板が発光素子の光を受けて温度上昇することを防止することができる。
【００１８】
［適用例６］
上述の照明装置において、
前記反射部は、表面と裏面とを有し、
前記裏面は、前記基板の前記第１の面と対向し、
前記表面は、その全部又は一部が前記発光素子の出射光を反射する鏡面状の反射面を有することができる。
【００１９】
本適用例によれば、鏡面状の反射面により、発光素子の出射光を効率よく反射すること
ができる。また、本適用例によれば、鏡面状の反射面により、基板が発光素子の光を受けて温度上昇することを防止することができる。
【００２０】
［適用例７］
上述の照明装置において、
前記表面は、前記反射部の外周端部側に環状に形成された第１の反射面と、前記反射部の内周端部側に環状に形成された第２の反射面と、該第１の反射面と該第２の反射面との間に環状に形成された第３の反射面と、を有し、
前記第１の反射面及び前記第２の反射面は、前記第３の反射面よりも高い反射率を有することができる。
【００２１】
本適用例によれば、環状に発光素子を配置した基板における内周端部側及び外周端部側は比較的照度が下がる傾向があるが、第１の反射面及び第２の反射面によって照度を上げることができるため、照明装置のカバー全体の明るさを均質化することができる。
【図面の簡単な説明】
【００２２】
【図１】第１の実施形態に係る照明装置の分解斜視図である。
【図２】第１の実施形態に係る照明装置に用いる反射部の一部拡大斜視図である。
【図３】第１の実施形態に係る照明装置の斜視図である。
【図４】第１の実施形態に係る照明装置の反射部の一部拡大斜視図である。
【図５】第２の実施形態に係る照明装置に用いる反射部の斜視図である。
【発明を実施するための形態】
【００２３】
以下、本発明の好適な実施形態について図面を用いて詳細に説明する。なお、以下に説明する実施例は、特許請求の範囲に記載された本発明の内容を不当に限定するものではない。また以下で説明される構成の全てが本発明の必須構成要件であるとは限らない。
【００２４】
本発明の一実施の形態に係る照明装置は、本体部に固定された複数の基板と、前記基板の第１の面に設けられた複数の発光素子と、前記第１の面に固定された薄板状の反射部と、を含み、前記反射部は、隣り合う前記基板を電気的に接続する配線によって前記第１の面に固定されることを特徴とする。
【００２５】
１．第１の実施形態
図１は、第１の実施形態に係る照明装置１の分解斜視図である。図２は、第１の実施形態に係る照明装置１に用いる反射部２０の一部拡大斜視図であって、図１において四角枠ＩＩで囲った部分を拡大して示している。図３は、第１の実施形態に係る照明装置１の斜視図である。なお、図３は、図１の照明装置１を組み立てた状態を示すが、照明装置１の内部構造を明らかにするためにカバー１０を省略して示している。図４は、第１の実施形態に係る照明装置１の反射部２０の一部拡大斜視図であって、図３における四角枠ＩＶで囲った部分を拡大して示している。
【００２６】
図１〜図４に示す照明装置１は、シーリングライトとして構成されているが、本発明はこれに限定されず、種々の照明装置に適用できる。
【００２７】
図１及び図２に示すように、カバー１０は、本体部３０の外枠に接続され、本体部３０の全体を覆うように設けられている。カバー１０は、基板４０ａ，４０ｂに設けられる発光素子４２の光を拡散しつつ透過するように構成され、基板４０ａ，４０ｂを覆う。例えば、カバー１０は透光性の合成樹脂製であり、拡散性を有するように乳白色に形成されている。
【００２８】
基板４０ａ，４０ｂは、複数の基板４０ａ，４０ｂが全体として略環状になるように配置され、配線５０で繋ぎ合わされる。本実施形態においては、照明装置１は、同一形状の８枚の基板４０ａ，４０ｂを含んで構成されている。基板４０ａ，４０ｂは、配線５０との関係を説明しやすくするために、隣接する基板の符号を「４０ａ」及び「４０ｂ」としているが、基本的に同じ構成を有する基板である。基板４０ａ，４０ｂは、例えば、ガラスエポキシ樹脂の平板で構成され、第１の面４１ａ，４１ｂに図示しない配線パターンが形成されている。
【００２９】
基板４０ａ，４０ｂには複数の発光素子４２が設けられる。基板４０ａ，４０ｂのカバー１０に近い側の第１の面４１ａ，４１ｂに複数の発光素子４２が設けられる。
【００３０】
基板４０ａ，４０ｂは、例えば内周端部及び外周端部の複数個所で本体部３０に対してネジによって固定されている。隣り合う基板４０ａ，４０ｂは、後述するように配線５０によって電気的に接続される。
【００３１】
ここでは詳細な説明を省略するが、照明装置１の本体部３０の構造は、公知のＬＥＤ照明装置の本体部と同様の構成を採用することができる。例えば、本体部３０は、天井に設置されるアダプターに接続される電源基板と、該電源基板及び発光素子が設けられた基板と、電源基板及び基板を固定する放熱性に優れた金属で構成されるベース及び枠と、を含むことができる。
【００３２】
発光素子４２は、基板４０ａ，４０ｂのカバー１０側の第１の面４１ａ，４１ｂに複数固定されている。各発光素子４２は、カバー１０側から見て略長方形であり、その長辺が本体部３０の中心から放射状の方向に沿うように配置されている。
【００３３】
発光素子４２の全体の配列は、基板４０ａ，４０ｂが円環状になった状態で略環状に配置され、本実施の形態においては、内周端部側に１列と、外周端部側に１列と、からなる２つの円環状を描くように配置されている。各列における隣り合う発光素子４２同士は、放熱を考慮した適当な間隔を有するように配置されている。
【００３４】
発光素子４２は、ＬＥＤ素子やＥＬ素子などの発光素子である。本実施形態においては、発光素子４２は、表面実装型のＬＥＤ素子である。なお、発光素子４２として、砲弾型のＬＥＤ素子やＣＯＢ（Ｃｈｉｐ  Ｏｎ  Ｂｏａｒｄ）型のＬＥＤ素子を採用することもできる。
【００３５】
反射部２０は、薄板状であって、本体部３０に設置された基板４０ａ，４０ｂの第１の面４１ａ，４１ｂに設置され、配線５０によって固定される。反射部２０の材質としては、可視光の反射率が高く軽量で耐熱性に優れたものが好ましく、例えば、ポリエチレンテレフタレート、塩化ビニル系樹脂、アクリル系樹脂、ポリカーボネート、ポリイミド、ポリエチレン、ポリプロピレン、エチレン−ビニルアルコール共重合体などの樹脂シートであることができる。また、反射部２０としては、上記樹脂製の発泡反射板であることができ、発泡ポリエチレンテレフタレート樹脂を例示することができる。発泡ポリエチレンテレフタレート樹脂製の薄板状の反射部２０は、発泡による気泡によって光が乱反射してその表面が白色であり、可視光に対して高い反射率を有する。
【００３６】
反射部２０は、表面と裏面とを有し、裏面は、基板４０ａ，４０ｂの第１の面４１ａ，４１ｂと対向し、表面は、カバー１０側にあって発光素子４２の出射光を反射する例えば白色の反射面２１を有することができる。本実施形態の白色の反射面２１は、反射部２０の表面全体に設けることができる。白色の反射面２１は、発光素子４２の出射光を効率よく反射することができる。また、白色の反射面２１により、発光素子４２の光を受けて基
板４０ａ，４０ｂが温度上昇することを効果的に防止することができる。
【００３７】
したがって、第１の実施形態に係る照明装置１は、本体部３０に固定された複数の基板４０ａ，４０ｂと、基板４０ａ，４０ｂの第１の面４１ａ，４１ｂに設けられた複数の発光素子４２と、第１の面４１ａ，４１ｂに固定された薄板状の反射部２０と、を含む。
【００３８】
反射部２０は、略環状に配置された複数の基板４０ａ，４０ｂの全体を覆うように環状に形成されると共に、発光素子４２に対応する位置に形成された複数の第１の貫通孔２２と、配線５０の両端部に対応する位置に形成された複数の第２の貫通孔２４ａ，２４ｂと、を有する。
【００３９】
第１の貫通孔２２は、反射部２０の反射面２１から裏面側へ貫通する。第１の貫通孔２２は、発光素子４２の外形よりもわずかに大きく形成され、基板４０ａ，４０ｂと反射部２０とを重ね合わせて固定された際に発光素子４２を受け入れることができる。そのため、発光素子４２の出射光を反射部２０が遮ることはない。また、発光素子４２は、基板４０ａ，４０ｂから突出するように取り付けられており、反射部２０の厚さが発光素子４２の突出高さよりも薄いため、発光素子４２からその水平方向へ出射された光を効率よく反射することができる。
【００４０】
また、第１の貫通孔２２は、発光素子４２の配置に合わせて略環状に配置され、内周端部２８側に１列と外周端部２９側に１列とからなる２つの円環状を描くように配置されている。各列における隣り合う第１の貫通孔２２同士は、その間に適当な間隔を有するように配置されている。
【００４１】
第２の貫通孔２４ａ，２４ｂは、反射部２０の反射面２１から裏面側へ貫通する。第２の貫通孔２４ａ，２４ｂは、照明装置１の形態に応じて適当な位置に設けることができる。例えば、本実施形態では、第２の貫通孔２４ａ，２４ｂは、環状に形成された反射部２０の内周端部２８と外周端部２９との中間に形成することができる。すなわち、第２の貫通孔２４ａ，２４ｂは、２列の第１の貫通孔２２の中間に形成される。このような位置に形成することで、環状の反射部２０をその中間位置で固定することができるので、反射部２０の基板４０ａ，４０ｂに対する固定を安定化させることができる。特に、反射部２０を軽量化する場合には、反射部２０の変形を考慮すると、このように中間位置に形成することが好ましい。また、第２の貫通孔２４ａ，２４ｂが２列の第１の貫通孔２２の中間位置であれば、発光素子４２の配置を邪魔することもない。
【００４２】
第２の貫通孔２４ａ，２４ｂは、配線５０によって反射部２０を基板４０ａ，４０ｂに固定するために用いられるため、隣り合う基板４０ａ，４０ｂの連結部分ごとに１組ずつに配置されている。具体的には、基板４０ａの第１の面４１ａ上に貫通する第２の貫通孔２４ａと、基板４０ｂの第１の面４１ｂ上に貫通する第２の貫通孔２４ｂと、が１組の第２の貫通孔２４ａ，２４ｂとして隣り合わせに近接して配置される。
【００４３】
なお、反射部２０の内周端部２８に設けられた凹部２６と、外周端部２９に設けられた凹部２７は、基板４０ａ，４０ｂを本体部３０にネジで係止することを遮らないための切り欠きである。したがって、本実施形態においては、基板４０ａ，４０ｂは、本体部３０に対して反射部２０とは独立して固定されているが、これに限らず、基板４０ａ，４０ｂを固定する一部のネジを反射部２０と基板４０ａ，４０ｂとを連結するために補助的に利用することもできる。
【００４４】
図３及び図４に示すように、反射部２０は、隣り合う基板４０ａ，４０ｂを電気的に接続する配線５０によって基板４０ａ，４０ｂの第１の面４１ａ，４１ｂに固定される。
【００４５】
配線５０は、基板４０ａと４０ｂとの連結部分に隣り合う１組の第２の貫通孔２４ａ，２４ｂに対して、２本の配線５０が配置することができる。このように、２本の配線５０によって反射部２０は基板４０ａ，４０ｂに固定されるので、反射部２０を基板４０ａ，４０ｂに確実に固定することができる。
【００４６】
配線５０の両端部５２が第２の貫通孔２４ａ，２４ｂを貫通して基板４０ａ，４０ｂの第１の面４１ａ，４１ｂに接続される。配線５０と第１の面４１ａ，４１ｂとの接続は、電気的接合及び機械的接合を行う方法、例えば溶接、圧接、ろう付けなどの方法を採用することができ、本実施の形態では半田付けを採用している。
【００４７】
配線５０の両端部５２が第２の貫通孔２４ａ，２４ｂ内で第１の面４１ａ，４１ｂに接続されると、配線５０の両端部５２の間の配線５０の少なくとも一部が反射部２０と接触して反射部２０と基板４０ａ，４０ｂとを固定することができる。具体的には、配線５０の一部は、図２に示すような１組の第２の貫通孔２４ａ，２４ｂの間に形成された反射面２１の固定部２３に接触する。配線５０は、固定部２３を跨いで第２の貫通孔２４ａ，２４ｂの中の第１の面４１ａ，４１ｂに両端部５２が半田付けされる。このように、配線５０の一部によって反射部２０と基板４０ａ，４０ｂとの固定を行うので、反射部２０の反射効率をほとんど損なうことがなく、高効率の照明装置１を実現できる。
【００４８】
一般に、照明装置の基板の表面は、黒色、黄色、緑色及び灰色などで形成されることが多く、反射効率は比較的低いものであるが、本実施形態によれば、反射部２０を基板４０ａ，４０ｂの第１の面４１ａ，４１ｂに固定することで発光素子４２の出射光を効率よく利用することができる。
【００４９】
また、本実施形態によれば、基板４０ａ，４０ｂ同士を接続する配線５０を利用することで、反射部２０を基板４０ａ，４０ｂに固定するための作業工程を減らすことができる。したがって、照明装置の生産性を向上することができる。
【００５０】
本実施形態においては、反射部２０の反射面２１は、白色の反射面としたが、これに限らず、例えば、反射面２１は、その全部又は一部が発光素子４２の出射光を反射する鏡面状の反射面とすることができる。鏡面状の反射面２１は、例えば、反射部２０の表面にアルミニウム蒸着めっきを施すことにより得ることができる。このようにすることで、鏡面状の反射面２１により、発光素子４２の出射光を効率よく反射することができる。また、鏡面状の反射面２１により、基板４０ａ，４０ｂが発光素子４２の光を受けて温度上昇することを防止することができる。
【００５１】
２．第２の実施形態
図５は、第２の実施形態に係る照明装置に用いる反射部１２０の斜視図である。
【００５２】
基本的な構成は、第１の実施形態に係る照明装置１と同じであるので、図示及び説明を省略し、第２の実施形態に係る照明装置に用いる反射部１２０についてのみ説明する。したがって、反射部１２０を第１の実施形態の照明装置１の反射部２０と入れ替えることで第２の実施形態の照明装置となる。
【００５３】
図５に示すように、反射部１２０の表面は、反射部１２０の外周端部１２９側に環状に形成された第１の反射面１２０ａと、反射部２０の内周端部１２８側に環状に形成された第２の反射面１２０ｂと、第１の反射面１２０ａと第２の反射面１２０ｂとの間に環状に形成された第３の反射面１２０ｃと、を有する。
【００５４】
第１の反射面１２０ａ及び第２の反射面１２０ｂは、第３の反射面１２０ｃよりも高い反射率を有することができる。反射率の違いは、公知の方法で実施することができる。例えば、上述したような白色の部分として発泡ポリエチレンテレフタレート樹脂を用いた部分と、それより高い反射率を有する部分として発泡ポリエチレンテレフタレート樹脂の表面にアルミニウム蒸着めっきを施した部分とで反射率の差を設けることができる。
【００５５】
本実施形態によれば、環状に発光素子４２を配置した基板４０ａ，４０ｂにおける内周端部側及び外周端部側は比較的照度が下がる傾向があるが、第１の反射面１２０ａ及び第２の反射面１２０ｂによって照度を上げることができるため、照明装置１のカバー１０全体の明るさを均質化することができる。
【００５６】
以上、本実施形態あるいは変形例について説明したが、本発明はこれら本実施形態あるいは変形例に限られるものではなく、その要旨を逸脱しない範囲において種々の態様で実施することが可能である。
【００５７】
本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【符号の説明】
【００５８】
１  照明装置、１０  カバー、２０  反射部、２１  反射面、２２  第１の開口部、２４ａ，２４ｂ  第２の開口部、２６、２７  凹部、２８  内周端部、２９  外周端部、３０
本体部、４０  基板、４１ａ，４１ｂ  第１の面、４２  発光素子、５０  配線、５２
接合部、１２０  反射部、１２０ａ  第１の反射面、１２０ｂ  第２の反射面、１２０ｃ  第３の反射面、１２２  第１の開口部、１２４ａ，１２４ｂ  第２の開口部、１２８
内周端部、１２９  外周端部
【図１】
2014220144.tif 000003
【図２】
2014220144.tif 000004
【図３】
2014220144.tif 000005
【図４】
2014220144.tif 000006
【図５】
2014220144.tif 000007